(57)【要約】      （修正有）【課題】フックと共にストライカを保持するストライカ当接部材を備えたロック装置において、ロック状態におけるストライカ当接部材によるストライカの保持を確実に行うロック装置を提供する。【解決手段】ストライカ進入溝３１内にストライカ６０を保持するロック位置と、ストライカの保持を解除するアンロック位置に回転可能なフック１２と、フックに係合してロック位置に保持させる保持状態と保持解除状態とに動作するポール１３と、ストライカ進入溝内のストライカへ接近する進出方向と離れる退避方向へ移動可能で、ロック位置で、ストライカ進入溝の内面３１ｂとの間でストライカを挟持するストライカ当接部材１４と、ストライカ当接部材を進出方向に付勢する付勢部材と、保持状態から保持解除状態になるときのポールの回転によって、ストライカ当接部材を退避方向に移動させる解除部４５とを備え、ロック状態で解除部がストライカ当接部材から離間する。【選択図】図３
2018123568.tif 000002
【特許請求の範囲】
【請求項１】
ベースと、
前記ベース上に設けられ、ストライカが進入可能なストライカ進入溝と被係合部を有し、前記ストライカ進入溝に対して前記ストライカを挿脱可能とさせるアンロック位置と、前記ストライカ進入溝からの前記ストライカの離脱を規制するロック位置とに回転可能なフックと、
前記ベース上に回転可能に設けられ、係合部が前記ロック位置にある前記フックの前記被係合部と係合して前記アンロック位置への回転を規制する保持状態と、該係合を解除して前記アンロック位置への前記フックの回転を許す保持解除状態に動作するポールと、
前記フックに、前記ストライカ進入溝に進入した前記ストライカに対して接近する進出方向と離れる退避方向に移動可能に設けられ、前記フックがロック位置にあるときに前記ストライカ進入溝の内面との間で前記ストライカを挟持するストライカ当接部材と、
前記ストライカ当接部材を前記進出方向に付勢する付勢部材と、
前記保持状態から前記保持解除状態になるときの前記ポールの回転によって、前記ストライカ当接部材を前記退避方向に移動させる解除部と、
を備え、
前記係合部と前記被係合部が係合しているロック状態において、前記解除部が前記ストライカ当接部材から離間することを特徴とするロック装置。
【請求項２】
前記解除部は、前記フックが前記ロック位置に位置するときに前記ストライカ当接部材のみを前記退避方向に移動させる、請求項１記載のロック装置。
【請求項３】
前記ポールが前記フックとの係合を解除する前に、前記解除部が前記ストライカ当接部材を退避方向に移動させる、請求項１または２記載のロック装置。
【発明の詳細な説明】
【技術分野】
【０００１】
本発明は、車両等に設けられる可動物の保持と保持解除を行うロック装置に関する。
【背景技術】
【０００２】
車両において、ドア、トランクリッド、座席等の可動物を、ボディ等の固定物に対して保持及び保持解除させるロック装置が多用されている。この種のロック装置は一般に、可動物と固定物の一方にストライカを備え、他方にフックとポールを備えており、ロック時には、フックに形成したストライカ進入溝にストライカが進入すると共に、ポールをフックに係合させてストライカの保持状態を維持する。ロック解除時には、フックからポールを係合解除すると、フックが回転してストライカ進入溝からストライカが離脱する。
【０００３】
ロック装置を構成する部品の精度のばらつき等を考慮して、フックにおけるストライカ進入溝の幅は、ストライカの径に対して余裕がある（所定のクリアランスを有する）大きさに設定されている。そのため、ロック装置のロック状態において、ストライカ進入溝内でストライカにガタつきが生じる場合があり、異音の発生等の原因となっていた。
【０００４】
ロック状態でのストライカのガタつきを防ぐべく、フックとは別に、ストライカの保持に寄与する追い込み部材を設けたロック装置が特許文献１で提案されている。追い込み部材はフックと同軸で独立して回転可能に支持され、フックに対する追い込み部材の相対回転によって、追い込み部材とストライカ進入溝の重なり量が変化する。追い込み部材は、ストライカ進入溝との重なり量が大きくなる方向に回転付勢されている。ロック状態では、ストライカ進入溝に対する追い込み部材の重なり量が大きく、ストライカ進入溝の内面と追い込み部材とによってストライカを挟むことによって、ストライカのガタつきを抑える。ロック状態からアンロック状態になるときに、ポールと共に回転する解除レバーによって、追い込み部材を付勢方向と逆方向（ストライカ進入溝との重なり量が小さくなる方向）に押圧して回転させる。すると、追い込み部材を用いたストライカの挟持状態が解除され、ストライカをストライカ進入溝からスムーズに離脱させることができる。
【先行技術文献】
【特許文献】
【０００５】
【特許文献１】特開２００８−２２１９７５号公報
【発明の概要】
【発明が解決しようとする課題】
【０００６】
特許文献１のロック装置では、ロック状態において、追い込み部材に対して解除レバーが当接している。そのため、ロック装置を構成する各部品や組み付けの精度に誤差があると、追い込み部材と解除レバーの位置関係に狂いが生じて、ロック状態で解除レバーが追い込み部材を付勢力に抗して押し込んだ状態になってしまうおそれがある。この場合、追い込み部材によるストライカのガタつき抑制効果が低下してしまう。
【０００７】
本発明は以上の問題点に鑑みてなされたものであり、ロック状態でフックと共にストライカを保持するストライカ当接部材を備えたロック装置において、ロック状態におけるストライカ当接部材によるストライカの保持を確実に行うことを目的とする。
【課題を解決するための手段】
【０００８】
本発明のロック装置は、ベース、フック、ポール、ストライカ当接部材、付勢部材及び解除部を備える。フックは、ベース上に設けられ、ストライカが進入可能なストライカ進入溝と被係合部を有し、ストライカ進入溝に対してストライカを挿脱可能とさせるアンロック位置と、ストライカ進入溝からのストライカの離脱を規制するロック位置とに回転可能である。ポールは、ベース上に回転可能に設けられ、係合部がロック位置にあるフックの被係合部と係合してアンロック位置への回転を規制する保持状態と、係合を解除してアンロック位置へのフックの回転を許す保持解除状態に動作する。ストライカ当接部材は、フックに設けられ、ストライカ進入溝に進入したストライカに対して接近する進出方向と、ストライカから離れる退避方向に移動可能であり、フックがロック位置にあるときに、ストライカ進入溝の内面とストライカ当接部材の間でストライカを挟持する。付勢部材は、ストライカ当接部材を進出方向に付勢する。解除部は、保持状態から保持解除状態になるときのポールの回転によって、ストライカ当接部材を退避方向に移動させる。そして、係合部と被係合部が係合しているロック状態において、解除部がストライカ当接部材から離間することを特徴とする。
【０００９】
この構成によると、ロック装置のロック状態で、ストライカ当接部材から解除部が離間しているので、解除部による影響を受けることなくストライカ当接部材を用いてストライカを確実に挟持することができる。
【００１０】
解除部は、フックがロック位置に位置するときにストライカ当接部材のみを退避方向に移動させることが好ましい。この構成によると、ロック解除動作の際に、解除部により動作させる対象がストライカ当接部材だけであるため、ストライカ当接部材と共にフックの回転が生じる形態に比べて精度の管理が容易になる。
【００１１】
また、ポールがフックとの係合を解除する前に、解除部がストライカ当接部材を退避方向に移動させるように構成できる。この構成では、ストライカ保持部材がフックと共にアンロック位置からロック位置に向けて回転を行う前に、ストライカ当接部材への解除部の当接が行われる。つまり、停止した状態のストライカ保持部材に対して解除部が当接するので、当接の精度やタイミングの管理が容易となる。
【発明の効果】
【００１２】
本発明によれば、ロック状態でフックと共にストライカを保持するストライカ当接部材を備えたロック装置において、ロック状態におけるストライカ当接部材によるストライカの保持を確実に行うことができる。
【図面の簡単な説明】
【００１３】
【図１】ロック装置の分解斜視図である。
【図２】ロック装置を構成するストライカ当接部材の平面図である。
【図３】ロック状態にあるロック装置の平面図である。
【図４】ロック状態からアンロック状態に移行する途中で、ポールとフックの係合が解除する直前の状態のロック装置を示す平面図である。
【図５】ロック状態からアンロック状態に移行する途中で、ポールがフックとの係合を解除した直後のロック装置を示す平面図である。
【図６】ロック状態からアンロック状態に移行する途中で、解除レバーがストライカ当接部材を退避方向に最大に押し込んだ状態のロック装置を示す平面図である。
【図７】アンロック状態にあるロック装置を示す平面図である。
【図８】アンロック状態からロック状態に移行する途中で、解除レバーがストライカ当接部材の被押圧部に当接した状態のロック装置を示す平面図である。
【図９】アンロック状態からロック状態に移行する途中で、解除レバーがストライカ当接部材を退避方向に最大に押し込んだ状態のロック装置を示す平面図である。
【図１０】アンロック状態からロック状態に移行する途中で、ポールがフックに係合する直前のロック装置を示す平面図である。
【発明を実施するための形態】
【００１４】
以下、図面を参照しながら本発明を適用した実施形態について説明する。本実施形態のロック装置１０は、車両を構成する固定物（例えば、車両のボディ）に対して可動に支持される可動物（例えば、床面に対して回動して引き出しや収納が可能な座席、ボディ開口部を開閉可能なドアやトランクリッド等）に対するロック及びロック解除を行うものであり、可動物と固定物の一方の側にロック装置１０が設けられ、他方の側にストライカ６０（図３ないし図１０）が設けられている。なお、以下の説明における前後方向は、図１に矢線で示したロック装置１０の前後方向に対応しており、車両の前後方向と必ずしも一致するものではない。
【００１５】
図１は、本実施の形態に係るロック装置１０の構成要素を分解した状態で示したものである。ロック装置１０は、ベースプレート１１（ベース）上に回転可能に支持されるフック１２及びポール１３と、フック１２に支持されるストライカ当接部材１４と、フック１２とストライカ当接部材１４を回転付勢するフック付勢バネ１５（付勢部材）と、ポール１３を回転付勢するポール付勢バネ１６とを備えている。フック１２とポール１３とストライカ当接部材１４はそれぞれ、ベースプレート１１の前面側に支持される板状部材である。フック１２はブッシュ１７を介して回転可能に支持され、ポール１３はブッシュ１８を介して回転可能に支持される。
【００１６】
ベースプレート１１は、ストライカ進入凹部２０を挟んだ両側に円形状の支持穴２１と支持穴２２を有し、ストライカ進入凹部２０の上方に、前方へ突出するガイド突起２３を有している。支持孔２１と支持穴２２の近傍にバネ掛け部２４とバネ掛け部２５が突設されている。
【００１７】
フック１２は、前後方向に貫通する略円形の軸穴３０と、ストライカ進入溝３１と、ストライカ進入溝３１に隣接して外径方向に突出する凸部３２（被係合部）と、凸部３２に隣接する凹部３３（被係合部）と、凹部３３に隣接する摺動面３４と、後方へ突出する円柱状のガイドピン３５とを備えている。
【００１８】
図２に示すように、ストライカ当接部材１４は、軸挿入溝５０と、長穴５１と、後方に向けて突出する位置制御凸部５２と、長穴５１の近傍の外縁部に設けた被押圧部５３及びストライカ保持面５４とを備えている。軸挿入溝５０は、略平行な一対の対向面５０ａ，５０ｂと、対向面５０ａと対向面５０ｂを接続する湾曲面５０ｃを有する長溝であり、湾曲面５０ｃと反対側の端部がストライカ当接部材１４の外縁部に開放されている。対向面５０ａと対向面５０ｂの間隔は、フック１２の軸穴３０の内径の大きさとほぼ等しい。長穴５１は、軸挿入溝５０における各対向面５０ａ，５０ｂの延設方向と略平行に長手方向（長径方向）が向く長穴である。
【００１９】
フック１２とストライカ当接部材１４は、ガイドピン３５を長穴５１に挿入して重ねられ、フック１２の軸穴３０とストライカ当接部材１４の軸挿入溝５０に対して、ブッシュ１７の軸部１７ａが挿入される。ブッシュ１７は、円筒状の外周面を有する軸部１７ａの一端に、軸部１７ａよりも大径の頭部１７ｂを備えており、軸部１７ａの先端（頭部１７ｂと反対側の端部）がベースプレート１１の支持穴２１に固定的に挿入される。フック１２は、軸穴３０の内周面が軸部１７ａの外周面に対して摺接することによって、軸部１７ａの軸Ｃ１（図１）を中心として回転する。後述する図３のロック状態におけるフック１２の位置をロック位置と呼び、図７のアンロック状態におけるフック１２の位置をアンロック位置と呼ぶ。
【００２０】
ストライカ当接部材１４の長穴５１の長手方向は、軸部１７ａの軸Ｃ１を中心とする径方向と略平行に向いている。フック１２のガイドピン３５は、長穴５１に対して、長手方向に移動可能で、幅方向（短径方向）には移動が規制された状態で挿入されている。また、ストライカ当接部材１４の軸挿入溝５０の内面は、軸部１７ａの外周面に対して、一対の対向面５０ａ，５０ｂの長手方向に移動可能に支持されると共に、軸Ｃ１を中心として回転可能に支持される。従って、ストライカ当接部材１４は、ガイドピン３５と長穴５１を介してフック１２と共に回転可能に支持され、さらに、フック１２に対して長穴５１の長手方向に直進移動可能に支持される。
【００２１】
図３ないし図１０における、フック１２とストライカ当接部材１４の反時計方向の回転を引き込み方向の回転とし、時計方向の回転をオープン方向の回転とする。また、フック１２に対するストライカ当接部材１４の直進移動方向のうち、軸挿入溝５０の湾曲面５０ｃがブッシュ１７の軸部１７ａから離れる方向（ストライカ進入溝３１内に進入しているストライカ６０にストライカ保持面５４が接近する方向）の移動を進出方向の移動とし、反対に軸挿入溝５０の湾曲面５０ｃがブッシュ１７の軸部１７ａに近づく方向（ストライカ進入溝３１内に進入しているストライカ６０からストライカ保持面５４が離れる方向）の移動を退避方向の移動とする。
【００２２】
ベースプレート１１の前面に近い側から、ストライカ当接部材１４、フック１２の順で重ねられており、フック１２の前面に対してブッシュ１７の頭部１７ｂが当接することによって、ベースプレート１１から前方へのフック１２とストライカ当接部材１４の離脱が規制される。
【００２３】
フック付勢バネ１５は、トーションバネであり、内端部をベースプレート１１のバネ掛け部２４（図１）に係合させ、外端部をストライカ当接部材１４から後方に突出するバネ掛け部１４ａに係合させている。フック付勢バネ１５によって、フック１２とストライカ当接部材１４がオープン方向に回転付勢される。また、フック付勢バネ１５は、ストライカ当接部材１４を進出方向へ付勢する。
【００２４】
フック１２のストライカ進入溝３１は、フック１２の外縁部に凹設された溝であり、略平行な一対の対向面３１ａ，３１ｂを内側に有している。対向面３１ａと対向面３１ｂの間隔（ストライカ進入溝３１の幅）は、ストライカ６０の径よりも僅かに大きく、ストライカ進入溝３１内にストライカ６０がクリアランスをもって進入可能である。
【００２５】
フック１２の凸部３２は、ストライカ進入溝３１の対向面３１ａを外径方向に延長して形成されており、凸部３２の先端付近に側方へ突出する小突起３２ａを備えている。摺動面３４は、緩やかに湾曲する凸状の湾曲面であり、凹部３３は、摺動面３４に対して凹設されている。
【００２６】
図２に示すように、ストライカ当接部材１４の位置制御凸部５２は、長穴５１の長手方向に対して交差する方向に延びる長いリブ状の凸部である。位置制御凸部５２の一端に、ストライカ当接部材１４の退避位置寄りに位置する第１湾曲部５２ａが設けられ、位置制御凸部５２の他端に、ストライカ当接部材１４の進出位置寄りに位置する第２湾曲部５２ｂが設けられている。第１湾曲部５２ａは、ストライカ当接部材１４の退避方向側に凸となる湾曲形状を有し、第２湾曲部５２ｂは、ストライカ当接部材１４の進出方向側に凸となる湾曲形状を有する。第１湾曲部５２ａと第２湾曲部５２ｂの間に、長穴５１の長手方向に沿うストライカ当接部材１４の直進移動方向に対して所定の傾斜を有する傾斜部５２ｃが設けられている。
【００２７】
ストライカ当接部材１４の被押圧部５３は、進出方向に向けて突出する突起形状に形成されている。図２に、長穴５１の幅方向の中央を通り長穴５１の長手方向に延びる仮想線Ｌを示した。被押圧部５３は、仮想線Ｌを挟んだ一方の側面としてテーパ面５３ａを有し、他方の側面としてテーパ面５３ｂとテーパ面５３ｃを有している。被押圧部５３の先端（仮想線Ｌ上）でテーパ面５３ａとテーパ面５３ｂが接しており、テーパ面５３ａとテーパ面５３ｂはそれぞれ、被押圧部５３の先端から離れるにつれて仮想線Ｌとの間隔を広げるように傾斜している。テーパ面５３ａよりもテーパ面５３ｂの方が仮想線Ｌに対する傾斜が大きい。テーパ面５３ｂに続けて形成されているテーパ面５３ｃと、テーパ面５３ａに続けて形成されているストライカ保持面５４もそれぞれ、被押圧部５３の先端側から離れるにつれて仮想線Ｌとの間隔を広げるように傾斜している。テーパ面５３ｂよりもテーパ面５３ｃの方が仮想線Ｌに対する傾斜が小さく、テーパ面５３ａよりもストライカ保持面５４の方が仮想線Ｌに対する傾斜が小さい。テーパ面５３ｂとテーパ面５３ｃの境界部分は湾曲面で滑らかに接続されている。
【００２８】
ストライカ保持面５４は、ロック状態において、ストライカ進入溝３１の対向面３１ａと概ね平行であり（対向面３１ａに対してわずかに傾斜している）、対向面３１ａの近傍に位置している。ガイドピン３５と長穴５１に案内されるストライカ当接部材１４の直進移動方向は、フック１２におけるストライカ進入溝３１の対向面３１ａ，３１ｂの延設方向に対して交差する。そのため、フック１２に対してストライカ当接部材１４が直進移動を行うと、図３ないし図１０のようにロック装置１０を平面視した状態で、ストライカ保持面５４を含むストライカ当接部材１４の一部が、ストライカ進入溝３１の内側に入り込む（ストライカ進入溝３１に重なる）状態と、ストライカ進入溝３１の外側に離脱する状態に変化する。具体的には、ストライカ当接部材１４が進出方向に移動すると、ストライカ保持面５４が対向面３１ａを超えてストライカ進入溝３１の内側に進入し、ストライカ当接部材１４が退避方向に移動すると、ストライカ保持面５４がストライカ進入溝３１の外側（フック１２の背後）に離脱する。
【００２９】
ポール１３は、前後方向に貫通する略円形の軸穴４０と、側方を向く摺動面４１と、摺動面４１に隣接して凹設された凹部４２（係合部）と、凹部４２に隣接する凸部４３（係合部）と、ワイヤ接続穴４４と、解除レバー４５（解除部）を備えている。
【００３０】
ポール１３の軸穴４０に対して、ブッシュ１８の軸部１８ａが挿入される。ブッシュ１８は、円筒状の外周面を有する軸部１８ａの一端に、軸部１８ａよりも大径の頭部１８ｂを備えており、軸部１８ａの先端（頭部１８ｂと反対側の端部）がベースプレート１１の支持穴２２に固定的に挿入される。ポール１３は、軸穴４０の内周面が軸部１８ａの外周面に対して摺接することによって、軸部１８ａの軸Ｃ２（図１）を中心として回転する。図３ないし図１０における、ポール１３の反時計方向の回転をロック保持方向の回転とし、時計方向の回転をロック解除方向の回転とする。ベースプレート１１から前方へのポール１３の離脱は、頭部１８ｂによって規制される。
【００３１】
ポール付勢バネ１６は、トーションバネであり、内端部をベースプレート１１のバネ掛け部２５（図１）に係合させ、外端部をポール１３から後方に突出するバネ掛け部４６に係合させ、ポール１３をロック保持方向に回転付勢する。
【００３２】
ポール１３は、軸穴４０を中心として径方向に延設される片持ち状の部材であり、摺動面４１と凹部４２と凸部４３は、ポール１３の片側の側面（フック１２に向く側の側面）に並んで位置している。軸穴４０に最も近い内径側に位置する摺動面４１は、緩やかに湾曲する凹状の湾曲面である。摺動面４１よりも外径側に位置する凹部４２は、摺動面４１に対して凹設された形状をなしている。凹部４２の凹形状は、フック１２の凸部３２の突出形状に対応しており、後述するロック状態で、凹部４２内に凸部３２が進入する。凹部４２よりも外径側に位置する凸部４３は、凹部４２との凹設方向とは反対方向に突出しており、先端が円弧状に湾曲している。凸部４３の凸形状は、フック１２の凹部３３の凹形状に対応しており、後述するロック状態で、凹部３３内に凸部４３が進入する。
【００３３】
ワイヤ接続穴４４は、軸穴４０から最も離れたポール１３の先端付近に設けられており、図３ないし図１０に一点鎖線で仮想的に示す操作ワイヤ６１の一端部が、ワイヤ接続穴４４に接続する。操作ワイヤ６１の他端部は図示を省略するアンロック操作部材に接続しており、アンロック操作部材を操作して操作ワイヤ６１を牽引すると、ポール付勢バネ１６の付勢力に抗してポール１３がロック解除方向に回転される。
【００３４】
解除レバー４５は、摺動面４１や凹部４２や凸部４３が設けられているポール１３の本体部分１３ａに対して後方にオフセットして位置している。解除レバー４５は、軸穴４０を中心とする径方向に延設された片持ち状の突出部であり、フック１２（ストライカ当接部材１４）側に突出している。解除レバー４５は、軸穴４０から離れて先端に近づくにつれて幅狭になる三角状の形状をなしており、最も幅狭になる解除レバー４５の先端部には、円弧状に湾曲した押圧面４７が設けられている。
【００３５】
ポール１３の本体部分１３ａに対して後方にオフセットして設けた解除レバー４５と、フック１２の後面側に支持したストライカ当接部材１４は、互いに同じ前後方向位置にある。そして、フック１２とポール１３が後述する所定の位置関係にあるときに、解除レバー４５（特に押圧面４７）がストライカ当接部材１４（特に被押圧部５３）に当接して、ストライカ当接部材１４の位置が制御される。また、ストライカ当接部材１４の後面に突出する位置制御凸部５２は、ベースプレート１１の前面に設けたガイド突起２３と同じ前後方向位置にあり、ストライカ当接部材１４が後述する所定の位置にあるときに、位置制御凸部５２がガイド突起２３に当接する（図７、図８参照）。位置制御凸部５２とガイド突起２３の当接によってストライカ当接部材１４の位置が制御される。これらのストライカ当接部材１４の動作（位置制御）については後述する。
【００３６】
以上の構成からなるロック装置１０の動作を説明する。なお、図４ないし図６、図８ないし図１０には、フック１２、ポール１３及びストライカ当接部材１４の回転動作の方向を円弧形状の矢印で示している（フック１２とストライカ当接部材１４の回転方向は共通の矢印で示している）。このうち、実線の矢印は、対応するフック付勢バネ１５やポール付勢バネ１６の付勢力に抗する方向の回転であることを意味し、一点鎖線の矢印は、各付勢バネ１５，１６の付勢力が働く方向への回転であることを意味する。
【００３７】
図３はロック装置１０のロック状態を示している。ロック状態では、ベースプレート１１のストライカ進入凹部２０の開口部分を、ストライカ進入溝３１の対向面３１ｂで塞ぐようにフック１２が位置しており（フック１２がロック位置にあり）、ストライカ進入溝３１内に進入したストライカ６０は、ストライカ進入凹部２０からの離脱が規制されている。ポール１３の凸部４３がフック１２の凹部３３に進入し、フック１２の凸部３２がポール１３の凹部４２に進入しており（ポール１３が保持状態にあり）、これらの凹凸部の係合関係によって、フック１２のオープン方向（時計方向）の回転が規制される。
【００３８】
ロック状態では、フック付勢バネ１５による進出方向への付勢力を受けているストライカ当接部材１４が、ストライカ保持面５４をストライカ６０に押し付けている。これにより、ストライカ保持面５４とストライカ進入溝３１の対向面３１ｂによってストライカ６０が挟まれ、ストライカ６０がガタつくことなく保持される。ストライカ保持面５４は、概ねストライカ進入溝３１の対向面３１ａと同じ方向に沿って延びる面であるため、ストライカ６０を円滑に挟持することができる。
【００３９】
ロック状態において、ポール１３に設けた解除レバー４５は、ストライカ当接部材１４から離間している。より詳しくは、ストライカ当接部材１４は、被押圧部５３の先端をポール１３の摺動面４１に対向する方向に向けており、解除レバー４５は、押圧面４７を有する先端部分が被押圧部５３の下方（ストライカ進入凹部２０の開口方向）に位置している。そして、被押圧部５３のテーパ面５３ａと解除レバー４５との間に、上下方向の隙間がある。このロック状態における被押圧部５３と解除レバー４５の離間量は、ロック装置１０を構成する各部材の部品精度や、ベースプレート１１に対する各部材の組み付け精度に多少の誤差があっても、解除レバー４５が被押圧部５３に当接しないように設定されている。そのため、解除レバー４５による影響（押圧）を受けずにストライカ当接部材１４の位置を定めることができ、ストライカ６０に対するガタ除去効果を確実に得ることができる。
【００４０】
図４から図６は、図３のロック状態から図７のアンロック状態への移行時の動作を順に示したものである。操作ワイヤ６１を牽引することによってロック装置１０のロック解除動作が行われる。図４は、操作ワイヤ６１の牽引によって、ポール１３がポール付勢バネ１６の付勢力に抗してロック解除方向（時計方向）に所定量回転されて、ポール１３の凹部４２内からフック１２の凸部３２が離脱する直前まで達した状態（凹部４２の開口部の直前に小突起３２ａが位置する状態）を示している。この段階で凸部４３は既に凹部３３から離脱している。小突起３２ａが凹部４２の内面に当接した状態にあるため、フック１２はオープン方向への回転が規制されてロック位置に保持されており、ストライカ６０はストライカ進入溝３１内に保持された状態を維持する。
【００４１】
図４の状態で、ポール１３に設けた解除レバー４５の押圧面４７が、ストライカ当接部材１４のテーパ面５３ａに当接する。図３のロック状態から図４の状態までは、ストライカ当接部材１４が移動していないため、押圧面４７をテーパ面５３ａに当接させる際の位置関係やタイミングの精度管理が容易である。
【００４２】
図５は、ポール１３が図４の位置よりも僅かにロック解除方向（時計方向）に進み、ポール１３の凹部４２からフック１２の凸部３２が離脱した直後（ポール１３の保持解除状態）を示している。凹部４２からの凸部３２の離脱により、フック１２のオープン方向（時計方向）への回転が許容されるようになる。図５では、ポール１３が保持解除状態になったことにより、フック１２の小突起３２ａがポール１３の摺動面４１に対向する位置関係になっている。
【００４３】
図４の状態から図５の状態になるときに、ロック解除方向へのポール１３の回転に伴って、解除レバー４５の押圧面４７がストライカ当接部材１４のテーパ面５３ａに接しながら移動する。すると、押圧面４７の移動軌跡（軸Ｃ２を中心とする時計方向の移動軌跡）と、テーパ面５３ａの傾斜形状との関係によって、ストライカ当接部材１４を押し込む力が働き、ストライカ当接部材１４が退避方向に移動する。なお、ポール１３が保持状態（図３）から保持解除状態（図５）になるまでの間、解除レバー４５の押圧によってストライカ当接部材１４が退避方向に直進移動するのに対して、フック１２は回転せずにロック位置に維持される。このように、ロック解除動作の際に解除レバー４５によって動作させる対象をストライカ当接部材１４のみにすると、精度の管理が容易になる。
【００４４】
図６は、フック付勢バネ１５の付勢力によってフック１２とストライカ当接部材１４が図５の位置よりもオープン方向（時計方向）に回転し、解除レバー４５の押圧面４７が当接する対象が、ストライカ当接部材１４の被押圧部５３におけるテーパ面５３ａからテーパ面５３ｂに切り替わる状態（解除レバー４５の押圧面４７が被押圧部５３の先端を乗り越える状態）を示している。この段階で操作ワイヤ６１の牽引は解除されており、ポール１３は、ポール付勢バネ１６の付勢力によって図５の状態よりもロック保持方向に戻っている。図６の状態では、解除レバー４５の押圧面４７が被押圧部５３の先端に近い位置に当接するので、ストライカ当接部材１４は退避方向へ最大に押し込まれた状態になる。このとき、ガイドピン３５は長穴５１の一端付近に位置し、軸部１７ａは軸挿入溝５０の湾曲面５０ｃに近接した位置にある。
【００４５】
図４の状態から図６の状態にかけて、解除レバー４５による押圧を受けてストライカ当接部材１４が退避方向へ移動し、この退避方向移動によって、ストライカ当接部材１４に設けたストライカ保持面５４がストライカ進入溝３１内のストライカ６０から離れる方向に位置を変化させる。その結果、ストライカ保持面５４とストライカ進入溝３１の対向面３１ｂによるストライカ６０の挟持状態が確実に解除される。図６の状態では、ストライカ保持面５４が完全にストライカ進入溝３１の外側（フック１２の裏側）に引き込まれており、ストライカ６０の保持に関与しなくなっている。従って、ストライカ進入溝３１内にストライカ６０を固着させず（挟み込まず）に、ストライカ６０を確実にリリースすることが可能になる。
【００４６】
図７はロック装置１０のアンロック状態を示している。アンロック状態では、アンロック位置にあるフック１２のストライカ進入溝３１の対向面３１ｂがベースプレート１１のストライカ進入凹部２０を塞がず、ストライカ６０がストライカ進入溝３１とストライカ進入凹部２０から離脱する。また、アンロック状態では、ストライカ当接部材１４の位置制御凸部５２の第１湾曲部５２ａが、ベースプレート１１のガイド突起２３に当接して、進出方向への移動が規制されている。ポール１３は、ポール付勢バネ１６の付勢力によって、凸部４３をフック１２の摺動面３４に当接させる位置に保持される。
【００４７】
アンロック状態において、ポール１３に設けた解除レバー４５は、ストライカ当接部材１４から離間している。より詳しくは、ストライカ当接部材１４は、被押圧部５３の先端をストライカ進入凹部２０が開口する斜め下方に向けており、解除レバー４５は、押圧面４７を有する先端部分が被押圧部５３の斜め上方に位置している。そして、被押圧部５３のテーパ面５３ｃと解除レバー４５との間に隙間がある。このアンロック状態における被押圧部５３と解除レバー４５の離間量は、ロック装置１０を構成する各部材の部品精度や、ベースプレート１１に対する各部材の組み付け精度に多少の誤差があっても、解除レバー４５が被押圧部５３に当接しないように設定されている。そのため、アンロック状態において、解除レバー４５はストライカ当接部材１４の位置設定に関与しない。
【００４８】
図８から図１０は、図７のアンロック状態から図３のロック状態への移行時の動作を順に示したものである。ストライカ６０をストライカ進入溝３１に進入させる動作によってロック装置１０のロック動作が行われる。ロック動作では、ストライカ６０によってストライカ進入溝３１の対向面３１ａが押し込まれて、フック付勢バネ１５の付勢力に抗してフック１２とストライカ当接部材１４が引き込み方向（反時計方向）に回転する。
【００４９】
フック１２とストライカ当接部材１４をアンロック状態におけるアンロック位置から引き込み方向（反時計方向）に回転させる初動段階は、停止状態からの始動であり、かつフック付勢バネ１５の付勢力に抗する方向の回転であることから、動作を行わせるために大きな力を要する。ここで、上述のように、アンロック状態では解除レバー４５が被押圧部５３から離間している。そのため、アンロック状態からフック１２とストライカ当接部材１４が引き込み方向へ所定量回転するまでの間、ストライカ当接部材１４の被押圧部５３は解除レバー４５に当接せずに動作する。別言すれば、フック１２とストライカ当接部材１４に引き込み回転方向の慣性力が働くようになるまで、被押圧部５３を解除レバー４５に当接させない。これにより、フック１２とストライカ当接部材１４の引き込み方向の回転の初動段階を、解除レバー４５を有するポール１３からの負荷を受けずに行わせることができる。特に、ポール１３は、ポール付勢バネ１６によってロック保持方向（フック１２に接近する方向）に付勢されているため、解除レバー４５が被押圧部５３から離間している間は、ポール付勢バネ１６による負荷がストライカ当接部材１４に作用せず、フック１２とストライカ当接部材１４に対する回転抵抗の低減に顕著な効果が得られる。
【００５０】
図７のアンロック状態からフック１２が引き込み方向（反時計方向）に回転すると、フック１２の摺動面３４に対して凸部４３を摺接させながら、ポール１３がロック解除方向へ押し込まれる。また、アンロック状態からフック１２が引き込み方向に回転すると、ベースプレート１１のガイド突起２３に対して位置制御凸部５２の傾斜部５２ｃが摺接し、ストライカ当接部材１４は進出方向の移動が制限されながらフック１２と共に回転する。そのため、この段階では、ストライカ進入溝３１に進入するストライカ６０に対して、ストライカ当接部材１４のストライカ保持面５４の当接（挟持）は行われない。
【００５１】
図８は、フック１２とストライカ当接部材１４がアンロック状態（アンロック位置）から引き込み方向に所定量回転して、ストライカ当接部材１４の被押圧部５３が解除レバー４５に当接した状態を示している。このとき、解除レバー４５は、押圧面４７を有する先端付近の側面を、被押圧部５３のテーパ面５３ｃ（テーパ面５３ｃとテーパ面５３ｂの境界付近）に当接させている。図８の状態では、ストライカ当接部材１４に設けた位置制御凸部５２のうち第２湾曲部５２ｂが、ベースプレート１１のガイド突起２３に当接しており、ストライカ当接部材１４は、図７の状態から継続して進出方向への移動が制限されている。但し、位置制御凸部５２の形状によって、図７の状態よりも図８の状態の方が、ストライカ当接部材１４の位置が進出方向側に変化している。
【００５２】
図８の状態からフック１２とストライカ当接部材１４が引き込み方向に回転すると、図９に示すように、位置制御凸部５２がガイド突起２３から離れ、ガイド突起２３によるストライカ当接部材１４の進出方向への移動制限が解除される。その一方、被押圧部５３のテーパ面５３ｂが解除レバー４５の押圧面４７に摺接して、ストライカ当接部材１４は解除レバー４５による進出方向の移動制限を受ける。このとき、図９に示すように、押圧部４７の移動軌跡（軸Ｃ２を中心とする時計方向の移動軌跡）と、テーパ面５３ｂの傾斜形状との関係によって、ストライカ当接部材１４を退避方向に押し込む力が作用する。図９の状態では、押圧面４７が被押圧部５３の先端に近い位置に当接するので、ストライカ当接部材１４は退避方向へ最大に押し込まれた状態になる。また、図９の状態では、フック１２の摺動面３４に対してポール１３の凸部４３が当接し、ポール１３の摺動面４１に対してフック１２の凸部３２（小突起３２ａ）が当接し、ポール１３のロック保持方向の回転がフック１２によって制限されている。
【００５３】
図１０は、フック１２とストライカ当接部材１４が図９の位置よりもさらに引き込み方向（反時計方向）に回転し、フック１２の凸部３２がポール１３の凹部４２に係合する直前の状態を示している。このとき凸部３２に設けた小突起３２ａは、ポール１３の摺動面４１の上端付近に達している。図９の状態から図１０の状態になる途中で、解除レバー４５の押圧面４７が被押圧部５３の先端を乗り越えて、押圧面４７の当接対象が、被押圧部５３のテーパ面５３ｂからテーパ面５３ａに変化している。テーパ面５３ａの傾斜方向は、ストライカ当接部材１４の引き込み方向の回転に応じて、ストライカ当接部材１４の進出方向の移動を許すものである。そのため、図９の状態よりも図１０の状態の方が、ストライカ当接部材１４が進出方向に移動している。
【００５４】
図１０の状態からさらにフック１２とストライカ当接部材１４が引き込み方向（反時計方向）に回転すると、被押圧部５３が解除レバー４５から離れ、ストライカ当接部材１４の進出方向の移動に対する制限が解除される。そして、フック１２が図３に示すロック位置まで回転すると、ポール１３に設けた凹部４２と凸部４３がそれぞれ、フック１２の凸部３２と凹部３３に進入し（ポール１３が保持状態になり）、ロック装置１０がロック状態になる。ロック状態では、フック付勢バネ１５による進出方向への付勢力を受けるストライカ当接部材１４が、ストライカ保持面５４をストライカ６０に押し付けており、ストライカ保持面５４とストライカ進入溝３１の対向面３１ｂによってストライカ６０を挟持して、ストライカ６０のガタつきを防ぐ。
【００５５】
以上のように、本実施形態のロック装置１０は、フック１２に対する進退移動が可能なストライカ当接部材１４をフック１２上に備え、ロック状態（図３）において、ストライカ当接部材１４のストライカ保持面５４とストライカ進入溝３１の対向面３０ｂでストライカ保持面５４を挟持する。これにより、ロック状態でストライカ６０がガタつかずに安定し、異音が生じない高品質なロック装置１０を得ることができる。
【００５６】
ストライカ当接部材１４は、フック１２をオープン方向に回転付勢するフック付勢バネ１５によって、ストライカ６０を挟持する方向（進出方向）に付勢されるため、ストライカ当接部材１４を付勢するための独立した付勢部材が不要であり、構成を簡略にできる。
【００５７】
また、ロック装置１０では、ロック状態からアンロック状態への動作を行うときに、ポール１３に設けた解除レバー４５によって、ストライカ当接部材１４を退避方向に押圧移動させるので、ストライカ当接部材１４を用いたストライカ６０の挟持状態を解除して、確実にストライカ６０をリリースしてアンロック状態に移行させることができる。
【００５８】
さらに、ロック状態において、解除レバー４５がストライカ当接部材１４から離間する構成であるため、精度誤差等によって解除レバー４５がストライカ当接部材１４を退避方向に押圧してしまうおそれがなく、ロック状態でストライカ当接部材１４が確実に機能してストライカ６０を挟持することができる。
【００５９】
さらに、アンロック状態において、解除レバー４５がストライカ当接部材１４から離間する構成であるため、アンロック状態からロック状態に移行させるときに、フック１２とストライカ当接部材１４を引き込み方向に回転させる初動段階で、解除レバー４５からストライカ当接部材１４に対して負荷が作用せず、少ない回転抵抗でフック１２とストライカ当接部材１４を動作させることができる。よって、ストライカ当接部材１４と解除レバー４５を備えたロック装置１０において、ロック動作時に必要とされる操作力を軽減して、優れた操作性を得ることができる。
【００６０】
また、ロック装置１０がロック状態からアンロック状態になるときに、解除レバー４５（特に押圧面４７）が、ストライカ当接部材１４の被押圧部５３の一方の側面であるテーパ面５３ａに当接し、続いて被押圧部５３の先端を乗り越えて、被押圧部５３の他方の側面であるテーパ面５３ｂに当接する。逆に、ロック装置１０がアンロック状態からロック状態になるときに、解除レバー４５が、ストライカ当接部材１４の被押圧部５３の一方の側面であるテーパ面５３ｂ（５３ｃ）に当接し、続いて被押圧部５３の先端を乗り越えて、被押圧部５３の他方の側面であるテーパ面５３ａに当接する。このように、解除レバー４５が、当接する面を切り替えながら被押圧部５３に当接すると、動作の状況や条件に適した特性を各面で設定することができる。
【００６１】
例えば、被押圧部５３のテーパ面５３ａは、ロック状態でストライカ６０を挟持していたストライカ当接部材１４を退避方向（挟持を解除する方向）に押圧移動させる際に用いられる面である。そのため、解除レバー４５からの押圧力を確実に受けてストライカ当接部材１４に伝達するべく、テーパ面５３ａを摩擦抵抗の大きい面にする等の選択が可能である。また、テーパ面５３ａを、解除レバー４５（ポール１３）の単位回転量あたりのストライカ当接部材１４の移動量が大きくなるような傾斜面（図２に示す仮想線Ｌに対する傾斜が小さい面）にして、ストライカ当接部材１４によるストライカ６０の挟持状態を迅速に解除させるような選択が可能である。
【００６２】
一方、被押圧部５３のテーパ面５３ｂ，５３ｃは、アンロック状態からロック状態への移行時に解除レバー４５の通過に応じて押圧されるものである。アンロック状態ではストライカ当接部材１４によるストライカ６０の挟持が行われていないため、テーパ面５３ｂ，５３ｃを摩擦抵抗の小さい面にして、解除レバー４５を円滑に通過させる等の選択が可能である。また、テーパ面５３ｂ，５３ｃを、解除レバー４５（ポール１３）の単位回転量あたりのストライカ当接部材１４の移動量が小さくなるような傾斜面（図２に示す仮想線Ｌに対する傾斜が大きい面）にして、アンロック状態からロック状態への移行時の最大負荷を軽減させるような選択が可能である。
【００６３】
以上、本発明を図示実施形態に基づいて説明したが、本発明はこの実施形態に限定されるものではなく、様々な変形を施しながら実施可能である。例えば、図示実施形態のロック装置１０では、ストライカ当接部材１４がフック１２に対して直進移動可能に支持されており、図３のロック状態から図５に示すポール１３の保持解除状態になるまでの間、解除レバー４５の押圧によって、フック１２を回転させずにストライカ当接部材１４のみを退避方向に直進移動させている。このように、ロック解除動作の際に解除レバー４５により動作させる対象をストライカ当接部材１４だけにすると、部品同士の精度の管理が容易になる。これと異なり、フック１２に対してストライカ当接部材１４が、回転方向の成分を含む相対移動を行うように構成することもできる。ポール１３と共に回転する解除レバー４５によって、回転方向の移動成分を含むストライカ当接部材１４を押圧する構成は、押圧力を伝えやすいという利点がある。また、解除レバー４５でストライカ当接部材１４を押圧したときに、ストライカ当接部材１４と共にフック１２が回転する構成にすることも可能である。
【符号の説明】
【００６４】
１０    ロック装置
１１    ベースプレート（ベース）
１２    フック
１３    ポール
１４    ストライカ当接部材
１５    フック付勢バネ（付勢部材）
１６    ポール付勢バネ
１７    ブッシュ
１８    ブッシュ
２０    ストライカ進入凹部
２１    支持穴
２２    支持穴
２３    ガイド突起
２４    バネ掛け部
２５    バネ掛け部
３０    軸穴
３１    ストライカ進入溝
３１ａ  対向面
３１ｂ  対向面
３２    凸部（被係合部）
３２ａ  小突起
３３    凹部（被係合部）
３４    摺動面
３５    ガイドピン
４０    軸穴
４１    摺動面
４２    凹部（係合部）
４３    凸部（係合部）
４４    ワイヤ接続穴
４５    解除レバー（解除部）
４６    バネ掛け部
４７    押圧面
５０    軸挿入溝
５０ａ  対向面
５０ｂ  対向面
５０ｃ  湾曲面
５１    長穴
５２    位置制御凸部
５２ａ  第１湾曲部
５２ｂ  第２湾曲部
５２ｃ  傾斜部
５３    被押圧部
５３ａ  テーパ面
５３ｂ  テーパ面
５３ｃ  テーパ面
５４    ストライカ保持面
５５    バネ掛け部
６０    ストライカ
６１    操作ワイヤ
Ｃ１    軸
Ｃ２    軸
【図１】
2018123568.tif 000003
【図２】
2018123568.tif 000004
【図３】
2018123568.tif 000005
【図４】
2018123568.tif 000006
【図５】
2018123568.tif 000007
【図６】
2018123568.tif 000008
【図７】
2018123568.tif 000009
【図８】
2018123568.tif 000010
【図９】
2018123568.tif 000011
【図１０】
2018123568.tif 000012